(57)【要約】【課題】レンズなどの光学部材の向きを、熟練を要さずにレンズの向きを容易に識別することができる光学部材及び同光学部材を備えた光学機器を提供すること。【解決手段】光の入射側（例えば入射面１１）と射出側（例えば射出面１２）との間に備えられた側面（例えば外側面１３、図１５の外周面３２）と、前記側面に沿って非対称に形成された識別子（例えば識別子１４，図３の識別子１４０，図６の識別子１５，図８の識別子１５０，図１０の識別子１６，図１２の識別子１７，１８，図１５の識別子１９，図１８の識別子２０，２１）と、を有する。【選択図】      図１
2008203715.tif 000002
【特許請求の範囲】
【請求項１】
光の入射側と射出側との間に備えられた側面と、
前記側面に沿って非対称に形成された識別子と、
を有することを特徴とする光学部材。
【請求項２】
請求項１に記載の光学部材において、
前記入射側に備えられた入射面と、
前記射出側に備えられた射出面とを含み、
前記側面は、前記入射面及び前記射出面に連続して備えられた外側面であることを特徴とする光学部材。
【請求項３】
請求項２に記載の光学部材において、
レンズであることを特徴とする光学部材。
【請求項４】
請求項１に記載の光学部材において、
前記入射側から前記射出側に沿って形成された貫通孔を有し、
前記側面は、前記貫通孔に対向する側面であることを特徴とする光学部材。
【請求項５】
請求項４に形成された光学部材において、
前記貫通孔にレンズを保持するレンズ保持部材であることを特徴とする光学部材。
【請求項６】
請求項１ないし請求項５の何れか一項に記載の光学部材において、
前記識別子は、前記側面に沿って形成された非対称形状を有することを特徴とする光学部材。
【請求項７】
請求項１ないし請求項５の何れか一項に記載の光学部材において、
前記識別子は、前記側面に沿って異なる色彩を有することを特徴とする光学部材。
【請求項８】
請求項１ないし請求項７の何れか一項に記載の光学部材において、
前記識別子は、入射側から射出側に向かう方向に直交する方向に形成されていることを特徴とする光学部材。
【請求項９】
請求項１ないし請求項７の何れか一項に記載の光学部材において、
前記識別子は、入射側から射出側に向かう方向と平行に形成されていることを特徴とする光学部材。
【請求項１０】
請求項１ないし請求項９の何れか一項に記載された光学部材を有することを特徴とする光学機器。
【発明の詳細な説明】
【技術分野】
【０００１】
本発明は、例えばレンズなどの組み立てが容易に行えるようにした光学部材及び同光学部材を備えたレンズ鏡筒などの光学機器体に関する。
【背景技術】
【０００２】
レンズには光線が入射する入射面と入射した光線が出て行く射出面とが存在し、これら入射面と射出面とは曲率が異なる場合や、曲率が同じでも施されるコーティング層が相違している場合など、入射面と射出面とは光学的に異なる場合がある。
【０００３】
したがって、光学機器の組み立てに際し、入射面と射出面とを取り違えると、焦点距離が変わるなど光学的特性が変わって所望の光学的特性が得られなくなってしまう。このため、光学機器の組み立てに際しては、レンズの入射面が光学機器の入射側に位置し、射出面が射出側に位置するようにしなければならない（特許文献１の図１中の合焦用レンズ群３参照）。
【０００４】
入射面と射出面の曲率が僅かに相違する場合などでは、レンズの外観からは何れが入射面であるかあるいは射出面であるかを判断することが難しく、レンズの向きを識別する手段を施すことが必要となっている。
【０００５】
例えば、レンズ入射面あるいは射出面の何れかとレンズ外周とが接する部分に面取りを施してレンズの向きを識別すことが知られている。また、レンズ入射面とレンズ外周とが接する部分と、レンズ射出面とレンズ外周とが接する部分にそれぞれ面取りを施し、これら面取りの大きさを互いに異ならせることによってレンズの向きを識別することが知られている。
【０００６】
【特許文献１】実開平５−９０４２１号公報
【発明の開示】
【発明が解決しようとする課題】
【０００７】
しかし、面取りによりレンズの向きを識別する方法にあっては、レンズ外周の光軸方向の長さが短い（レンズ縁厚が薄い）ときには面取りを施すのが困難となる課題がある。
【０００８】
したがって、レンズ縁厚の薄いレンズから厚いレンズにいたる、広範囲のレンズを対象として熟練度を要さずにレンズの向きを簡単に識別できることが要望されている。
【０００９】
本発明は、レンズなどの光学部材の向きを、熟練を要さずに容易に識別することができる光学部材及び同光学部材を備えた光学機器を提供することを目的とする。
【課題を解決するための手段】
【００１０】
上記目的を達成する本発明の請求項１に記載の光学部材は、光の入射側と射出側との間に備えられた側面と、前記側面に沿って非対称に形成された識別子と、を有することを特徴とする。
【００１１】
本発明の請求項２に記載の光学部材は、前記入射側に備えられた入射面と、前記射出側に備えられた射出面とを含み、前記側面は、前記入射面及び前記射出面に連続して備えられた外側面であることを特徴とする。
【００１２】
本発明の請求項３に記載の光学部材は、レンズであることを特徴とする。
【００１３】
本発明の請求項４に記載の光学部材は、前記入射側から前記射出側に沿って形成された貫通孔を有し、前記側面は、前記貫通孔に対向する側面であることを特徴とする。
【００１４】
本発明の請求項５に記載の光学部材は、前記貫通孔にレンズを保持するレンズ保持部材であることを特徴とする。
【００１５】
本発明の請求項６に記載の光学部材は、前記識別子が、前記側面に沿って形成された非対称形状を有することを特徴とする。
【００１６】
本発明の請求項７に記載の光学部材は、前記識別子が、前記側面に沿って異なる色彩を有することを特徴とする。
【００１７】
本発明の請求項８に記載の光学部材は、前記識別子は、入射側から射出側に向かう方向に直交する方向に形成されていることを特徴とする。
【００１８】
本発明の請求項９に記載の光学部材は、前記識別子は、入射側から射出側に向かう方向と平行に形成されていることを特徴とする。
【００１９】
本発明の請求項１０に記載の光学機器は、請求項１ないし請求項９の何れか一項に記載された光学部材を有することを特徴とする。
【発明の効果】
【００２０】
本発明によれば、レンズ縁厚が薄いレンズであっても熟練を要さずにレンズの向きを容易に識別することができる。
【発明を実施するための最良の形態】
【００２１】
以下本発明の光学部材及び同光学部材を有する光学機器の実施形態について図１〜図２２を参照して説明する。
【００２２】
図１及び図２は本発明の光学部材の第１実施態様を示す。
【００２３】
図１に示すように、光学部材としてのレンズ１０は、図１左側に例えば曲率Ｒ１＝８０ｍｍの入射面１１と、図１右側に例えば曲率Ｒ２＝１００ｍｍの射出面１２と、入射面１１側と射出面１２側との間に入射面１１及び射出面１２と連続した側面としての外側面１３とを有する。
【００２４】
外側面１３には、円形状のマーク１４ａ、１４ｂ、１４ｃからなる識別子１４が配置される。マーク１４ａは外側面１３の所定箇所（図１、図２の光軸Ｌ上の箇所）に位置し、マーク１４ｂはマーク１４ａからレンズ１０の周方向に所定の距離離れた箇所に位置し、マーク１４ｃはマーク１４ａからマーク１４ｂとは反対側のレンズ１０の周方向にマーク１４ａとマーク１４ｂとの間の周方向距離とは異なる距離（短い距離）離れた箇所に位置する。
【００２５】
マーク１４ｂ、１４ｃは、マーク１４ａを中心とした非対称位置に配置される。換言すると、識別子１４は、光軸Ｌを中心として非対称になっている。
【００２６】
識別子１４を構成する各マーク１４ａ、１４ｂ、１４ｃは例えば印刷手段によって形成される。なお、印刷手段の代わりに、例えばレンズ１０を成形する型にマーク１４ａなどに相当する凸部あるいは凹部を刻んでおき、レンズ１０の成形時に同時に成形したり、レンズ１０の成形後に後加工として切削などにより形成したりしてもよい。
【００２７】
また、識別子１４を構成する各マーク１４ａ、１４ｂ、１４ｃに着色して識別力を向上させてもよい。着色する場合、光を反射させずに吸収するように例えば黒色で着色する。
【００２８】
図２では図１とは異なり、レンズ１０の入射面１１が図２の右側に位置し、射出面１２が図２の左側に位置するようにレンズ１０を配置させた場合を示す。
【００２９】
入射面１１と射出面１２は互いに曲率が近いので、レンズ１０の外観からは図１と図２で入射面１１と射出面１２の向きが逆になっていることを見分けることが難しいが、マーク１４ａ、１４ｂ、１４ｃからなる、配置が非対称の識別子１４によって、図２に示すようにレンズ１０を配置すると、図１に示すように配置するのと比して入射面１１、射出面１２の向きが逆になっていることを容易に見分けることができる。
【００３０】
すなわち、識別子１４によって、レンズ１０を図１に示すように配置してもあるいは図２に示すように配置しても、入射面１１（射出面１２）がどの方向に向いているか（面しているか）を容易に識別できる。
【００３１】
外側面１３は、レンズ１０の周方向に延びる面であり、外側面１３の光軸Ｌ方向の長さ（寸法）が短い場合（レンズ縁縁が薄い場合）であっても、識別子１４を配置することができ、この識別子１４によって入射面１１（射出面１２）の向きを容易に識別することができる。
【００３２】
図３及び図４は本発明の光学部材の第２実施態様を示す。図５は図３の部分拡大図である。
【００３３】
なお、図中、図１、図２に示す部分と同一構成部分には同一符号付してその詳細な説明を省略する。
【００３４】
本第２実施形態では、識別子１４０を構成する円形状のマーク１４０ａ、１４０ｂ、１４０ｃのうち、マーク１４０ａの光軸Ｌ方向の位置を、外側面１３の一側部寄りに配置し（図５参照）、他のマーク１４０ｂ、１４０ｃの光軸Ｌ方向の位置を、外側面１３の他側部寄りに配置している。換言すると、マーク１４０ａの光軸Ｌ方向の位置を、マーク１４０ｂ、１４０ｃの光軸Ｌ方向の位置からずらして（マーク１４０ｂ、１４０ｃの光軸Ｌ方向の位置を、マーク１４０ａの光軸Ｌ方向の位置からずらして）配置してある。
【００３５】
すなわち、本第２実施形態では、光軸Ｌと平行な方向及び光軸Ｌと直交する方向で非対称の識別子１４０によってレンズ１０の入射面１１と射出面１２とを識別する。
【００３６】
上述した、第１実施形態に示すように、マーク１４０ａとマーク１４０ｂとの間のレンズ１０の周方向距離とマーク１４０ａとマーク１４０ｃとの間のレンズ１０の周方向距離とを異ならせるだけではなく、さらにマーク１４０ａの光軸Ｌ方向位置を、マーク１４０ｂ、１４０ｃの光軸Ｌ方向の位置からずらせることによって、入射面１１（射出面１２）の向きがより直感的に識別できるようにしてある。
【００３７】
図４に示すようにレンズ１０を配置すると、マーク１４０ａ、１４０ｂ、１４０ｃの光軸Ｌ方向位置のずれ具合から、入射面１１（射出面１２）が図４の右側（左側）に向いていることが容易に識別できる。図５中の二点鎖線は図４に示すようにレンズ１０を配置したときのマーク１４０ａの光軸Ｌ方向の位置を示す。
【００３８】
なお、レンズ１０の光軸Ｌ方向の長さがある程度長く設定できる場合（レンズ縁厚を厚く設定できる場合）には、マーク１４０ａをマーク１４０ｂ、１４０ｃに対して（マーク１４０ｂ、１４０ｃをマーク１４０ａに対して）外側面１３の光軸Ｌ方向の中間位置に配置することができる。
【００３９】
図６及び図７は本発明の光学部材の第３実施態様を示す。
【００４０】
なお、図中、図１、図２に示す部分と同一構成部分には同一符号付してその詳細な説明を省略する。
【００４１】
本第３実施形態では、識別子１５を、長円形状（線状）のマーク１５ａと、円形状（点状）のマーク１５ｂとから構成してある。
【００４２】
マーク１５ａは、外側面１３の所定箇所（図６、図７の光軸Ｌ上の箇所）を境に一方の外側面１３の箇所（図６の光軸Ｌよりも上方箇所）に配置され、マーク１５ｂは、他方の外側面１３の箇所（図６の光軸Ｌよりも下方箇所）に配置される。
【００４３】
換言すると、識別子１５は、光軸Ｌを境界にし、形状が互いに異なる２つのマーク１５ａ、１５ｂを外側面１３に配置して構成されていて、非対称になっている。
【００４４】
図７では図６に示す場合と異なり、レンズ１０の入射面１１が図７の右側に位置し、射出面１２が図７の左側に位置するようにレンズ１０を配置した状態を示す。
【００４５】
レンズ１０の入射面１１と射出面１２は曲率が互いに近く（入射面１１の曲率Ｒ１＝８０ｍｍ、射出面１２の曲率Ｒ２＝１００ｍｍ）、外観からは図６と図７で入射面１１と射出面１２の向きが逆になっていることを見分けることが難しいが、マーク１５ａ、１５ｂからなる、形状が非対称の識別子１５によって、図７に示すようにレンズ１０を配置すると、図６に示すように配置するのと比して入射面１１、射出面１２の向きが逆になっていることを容易に見分けることができる。
【００４６】
すなわち、識別子１５によって、レンズ１０を図６に示すように配置してもあるいは図７に示すように配置しても、入射面１１（射出面１２）がどの方向に向いているか（面しているか）を容易に識別できる。
【００４７】
外側面１３はレンズ１０の周方向に延びる面であり、識別子１５を構成するマーク１５ａはこの外側面１３の周方向に延びる細長い形状なので、外側面１３の光軸Ｌ方向の長さ（寸法）が短い場合（レンズ縁縁が薄い場合）であっても配置することができ、この識別子１５によって入射面１１（射出面１２）の向きを容易に識別することができる。
【００４８】
図８及び図９は本発明の光学部材の第４実施態様を示す。
【００４９】
なお、図中、図１、図２に示す部分と同一構成部分には同一符号を付してその詳細な説明を省略する。
【００５０】
本第４実施形態では、識別子１５０を、長円形状（線状）のマーク１５０ａと、円形状（点状）のマーク１５０ｂとから構成してある。この点では、上述した第３実施形態と同じであるが、マーク１５０ａの長さ方向の一端部が、光軸Ｌ方向の一方の側（図８の左側）にずれ、マーク１５０ａの長さ方向の他端部が、光軸Ｌ方向の他方の側（図８の右側）にずれて、マーク１５０ａが外側面１３に配置されている点で相違している。
【００５１】
すなわち、本第４実施形態では、形状及び光軸Ｌに平行な方向で非対称の識別子１５０によってレンズ１０の入射面１１と射出面１２とを識別する。
【００５２】
このようにマーク１５０ａの長さ方向一端部を光軸Ｌ方向の一方の側にずらし、他端部を光軸Ｌ方向の他方の側にずらして、マーク１５０ａを外側面１３上で傾けて配置してマーク１５０ａを傾けることによってより直感的にレンズ１０の入射面１１（射出面１２）の向きが識別できるようになる。
【００５３】
図９は図８に示す場合と異なり、レンズ１０の入射面１１を図９の右側に配置し、射出面１２を図９の左側に配置した場合を示しているが、外観からは図８と図９で入射面１１と射出面１２の向きが逆になっていることを見分けることが難しいが、マーク１５０ａの傾きによって、図９に示すようにレンズ１０を配置すると、図８に示すように配置するのと比して入射面１１、射出面１２の向きが逆になっていることを容易に見分けることができる。
【００５４】
図１０及び図１１は本発明の光学部材の第５実施態様を示す。
【００５５】
なお、図中、図１、図２に示す部分と同一構成部分には同一符号を付してその詳細な説明を省略する。
【００５６】
本第５実施形態では、識別子１６を方形状のマーク１６ａと円形状のマーク１６ｂとから構成してある。
【００５７】
マーク１６ａは、外側面１３の所定箇所（図１０の光軸Ｌ上の箇所）から所定の距離離れた一方の外側面１３の箇所（図１０の光軸Ｌよりも上方箇所）に配置され、またマーク１６ｂは、外側面１３の所定箇所（図１０の光軸Ｌ上の箇所）から所定の距離とは異なる距離（所定の距離より短い距離）離れた他方の外側面１３の箇所（図１０の光軸Ｌよりも下方箇所）に配置される。
【００５８】
換言すると、識別子１６は、光軸Ｌを境にし、外側面１３の所定箇所からの距離が異なり且つ形状が異なる２つのマーク１６ａ、１６ｂを外側面１３に配置して構成されていて非対称になっている。
【００５９】
図１１では図１０に示す場合と異なり、レンズ１０の入射面１１が図１１の右側に位置し、射出面１２が図１１の左側に位置するようにレンズ１０を配置した状態を示す。
【００６０】
レンズ１０の入射面１１と射出面１２は曲率が互いに近く（入射面１１の曲率Ｒ１＝８０ｍｍ、射出面１２の曲率Ｒ２＝１００ｍｍ）、外観からは図１０と図１１で入射面１１と射出面１２の向きが逆になっていることを見分けることが難しいが、マーク１６ａ、１１６ｂからなる、形状が非対称の識別子１６によって、図１１に示すようにレンズ１０を配置すると、図１０に示すように配置するのと比して入射面１１、射出面１２の向きが逆になっていることを容易に見分けることができる。
【００６１】
すなわち、識別子１６によって、レンズ１０を図１０に示すように配置してもあるいは図１１に示すように配置しても、入射面１１（射出面１２）がどの方向に向いているか（面しているか）を容易に識別できる。
【００６２】
外側面１３はレンズ１０の周方向に延びる面であり、識別子１６を構成するマーク１６ａ、１６ｂはこの外側面１３の所定箇所（図１１の光軸Ｌ上の箇所）から異なる距離離れているので、外側面１３の光軸Ｌ方向の長さ（寸法）が短い場合（レンズ縁縁が薄い場合）であっても識別子１６を配置することができ、この識別子１６によって入射面１１（射出面１２）の向きを容易に識別することができる。
【００６３】
図１２，図１３及び図１４は本発明の光学部材の第６実施態様を示す。
【００６４】
なお、図中、図１、図２に示す部分と同一構成部分には同一符号を付してその詳細な説明を省略する。
【００６５】
本第６実施形態では、レンズ１０の外側面１３に、レンズ１０の入射面１１と射出面１２の向きを識別する識別子１７と、レンズ１０の種類を識別する識別子１８とを配置してある。
【００６６】
図１２では、入射面の曲率がＲ１＝８０ｍｍ、射出面１２の曲率がＲ２＝１００ｍｍのレンズ１０を示す。レンズ１０の入射面１１は図１２の左側に位置し、また射出面１２は図１２の右側に位置する。レンズ１０の入射面１１と射出面１２の向きを識別する、識別子１７は、上述した第１実施形態と同様に、レンズ１０の外側面１３に配置した円形状のマーク１７ａ、１７ｂ、１７ｃとから構成される。
【００６７】
識別子１７を構成するマーク１７ａ、１７ｂ、１７ｃのうち、マーク１７ａは外側面１３の所定箇所（図１２の光軸Ｌ上の箇所）に位置し、マーク１７ｂはマーク１７ａからレンズ１０の周方向に所定の距離離れた箇所に位置し、マーク１７ｃはマーク１７ａからマーク１７ｂとは反対側のレンズ１０の周方向にマーク１７ａとマーク１７ｂとの間の周方向距離とは異なる距離（短い距離）離れた箇所に位置する。
【００６８】
マーク１７ｂ、１７ｃは、マーク１７ａを中心とした非対称位置に配置される。換言すると、識別子１７は、光軸Ｌを中心として非対称になっている。
【００６９】
レンズ１０の種類を識別する識別子１８は、レンズ１０の外側面１３に配置した円形状のマーク１８ａから構成される。このマーク１８ａは、識別子１７を構成するマーク１７ａからマーク１７ｂよりも更に周方向に離れた外側面１３の箇所に配置される。
【００７０】
図１３では、入射面の曲率がＲ３＝８０ｍｍ、射出面１２の曲率がＲ４＝１１０ｍｍのレンズ１０を示す。レンズ１０の入射面１１は図１３の左側に位置し、また射出面１２は図１３の右側に位置する。レンズ１０の入射面１１と射出面１２の向きを識別する、識別子１７は、図１２に示すレンズ１０と同様である。レンズ１０の種類を識別する識別子１８は、レンズ１０の外側面１３に配置した円形状のマーク１８ｂとマーク１８ｃとから構成される。これらのマーク１８ｂ、１８ｃは、識別子１７を構成するマーク１７ａからマーク１７ｂよりも更に周方向に離れた外側面１３の箇所に配置される。
【００７１】
図１２に示すレンズ１０と図１３に示すレンズ１０は、射出面１２の曲率が相違している（図１２の射出面１２の曲率Ｒ２＝１００ｍｍ、図１３の射出面１２の曲率Ｒ４＝１１０ｍｍ）が、外観からは識別が難しいが、識別子１８によって形状が異なるレンズ１０であることが容易に識別できる。
【００７２】
図１４はレンズ１０の入射面１１が図１４の右側に位置し、射出面１２が図１４の左側に位置するようにレンズ１０を配置した状態を示す。
【００７３】
図１４に示すレンズ１０の外観からは図１２に示すレンズ１０なのかあるいは図１３に示すレンズ１０なのかを識別することは難しいが、識別子１８から図１３に示すレンズ１０と同じ形状のレンズ１０であることが容易に識別でき、また識別子１７からレンズ１０の入射面１１と射出面１２を容易に識別でき、図１３に示すレンズ１０と入射面１１（射出面１２）の向きと逆であることが容易に識別できる。
【００７４】
入射面１１と射出面１２の曲率が大きく異なり、レンズ１０の外観から入射面１１と射出面１２とを容易に識別できるレンズ１０において、入射面１１及び射出面１２の曲率が僅かに相違する別の形状のレンズ１０を識別する場合にあっては、レンズ１０の入射面１１と射出面１２の向きを識別する識別子１７を省略し、レンズ１０の種類を識別する識別子１８のみをレンズ１０の外側面１３に配置するようにしてもよい。
【００７５】
図１５、図１６及び図１７は本発明の光学部材の第７実施態様を示す。
【００７６】
なお、図中、図１、図２に示す部分と同一構成部分には同一符号付してその詳細な説明を省略する。
【００７７】
本第７実施形態では、図１５に示すように、光学部材としてのレンズ室（レンズ保持部材）３０は、光の入射側から射出側に沿って（光軸Ｌに沿って）形成された貫通孔３１（図１７参照）を有し、外周面３２の光の入射側の箇所にマーク１９ａ、１９ｂ、１９ｃからなる識別子１９が配置される。
【００７８】
各マーク１９ａ、１９ｂ、１９ｃは、例えば、図１に示すレンズ１０の外側面１３に配置した各マーク１４ａ、１４ｂ、１４ｃにそれぞれ対応するもので、マーク１９ａはレンズ室３０の外周面３２の所定箇所（図１５の光軸Ｌ上の箇所）に位置し、マーク１９ｂはマーク１９ａから外周面３２の周方向に所定の距離離れた箇所に位置し、マーク１９ｃはマーク１９ａからマーク１９ｂとは反対側の外周面３２の周方向にマーク１９ａとマーク１９ｂとの間の周方向距離とは異なる距離（短い距離）離れた箇所に位置する。
【００７９】
マーク１９ｂ、１９ｃは、マーク１９ａを中心とした非対称位置に配置される。換言すると、識別子１９は、光軸Ｌを中心として非対称になっている。
【００８０】
識別子１９を構成する各マーク１９ａ、１９ｂ、１９ｃは、レンズ１０の各マーク１４ａ、１４ｂ、１４ｃと同様に例えば印刷手段によって形成される。
【００８１】
レンズ室３０の外周面３２の光軸Ｌ方向中間部の箇所には、その周方向に沿って鏡筒などの光学機器への固定手段としてのネジ部３３が形成される。
【００８２】
図１６はレンズ室３０内にレンズ１０を組み込む際の説明図である。
【００８３】
レンズ室３０の光の入射側外周面には識別子１９が配置され、またレンズ１０の外側面１３には識別子１４が配置されていることから、これら識別子１９、１４によりレンズ１０の正しい組み込み方向が容易に識別できる。
【００８４】
すなわち、識別子１９を構成する各マーク１９ａ、１９ｂ、１９ｃが識別子１４を構成する各マーク１４ａ，１４ｂ，１４ｃとそれぞれ全て対応することから、組み込むレンズ１０の種類が正しく且つレンズ１０のレンズ室３０への組み込み方向が正しいことが容易に識別できる。これに対し、例えば、レンズ１０が図２に示すように入射面１１が同図の右側に位置する状態にあるとき、この状態でレンズ１０をレンズ室３０に組み込もうとしても、識別子１９を構成するマーク１９ａ，１９ｂ，１９ｃが、識別子１４を構成するマーク１４ａ，１４ｂ，１４ｃと、光軸Ｌに対応する箇所にあるマーク１９ａ、１４ａを除いて対応せず、組み込もうとしているレンズ１０の向きが逆であることが容易に識別でき、レンズ１０をレンズ室３０内に間違った向きで組み込むことを回避することができる。
【００８５】
図１７はレンズ室３０内にレンズ１０を組み込んだ状態を示す断面図である。
【００８６】
正しい組み込み方向からレンズ室３０内に組み込まれたレンズ１０は、押さえ環３５によりレンズ室３０内（貫通孔３１の内周面）に形成した段状の固定箇所３４に移動しないように固定される。
【００８７】
押さえ環３５の外周面にはネジ部３５ａが形成され、レンズ室３０（貫通孔３１）の入射側の内周面にはネジ部３５ａが螺合するネジ部３１ａ形成されていて、これらネジ部３５ａ、３１ａの螺合によって、レンズ１０は固定箇所３４に押し付けられた状態で押さえ環３５によってレンズ室３０（貫通孔３１）に固定される。
【００８８】
図１８及び図１９は本発明の光学部材の第８実施態様を示す。
【００８９】
なお、図中、図１、図２、図１５、図１６及び図１７に示す部分と同一構成部分には同一符号付してその詳細な説明を省略する。
【００９０】
本第８実施形態では、図１８に示すように、光学部材としてのレンズ室（レンズ保持部材）３０は、外周面３２の光の入射側の箇所にマーク２０ａ、２０ｂ、２０ｃからなる識別子２０と、マーク２１ａ、２１ｂ、２１ｃから識別子２１が配置される。
【００９１】
マーク２０ａ、２０ｂ、２０ｃ、２１ａは、例えば、図１２に示すレンズ１０の外側面１３に配置したマーク１７ａ、１７ｂ、１７ｃ、１８ａにそれぞれ対応するもので、マーク２０ａはレンズ室３０の外周面の所定箇所（図１８の光軸Ｌ上の箇所）に位置し、マーク２０ｂはマーク２０ａからレンズ室３０の外周面３２の周方向に所定の距離離れた箇所に位置し、マーク２０ｃはマーク２０ａからマーク２０ｂとは反対側のレンズ室３０の外周面３２の周方向にマーク２０ａとマーク２０ｂとの間の周方向距離とは異なる距離（短い距離）離れた箇所に位置する。マーク２１ａは、マーク２０ａからレンズ室３０の外周面３２の周方向にマーク２０ｂよりも更に離れた箇所に位置する。
【００９２】
また、マーク２０ａ、２０ｂ、２０ｃ、２１ｂ、２１ｃは、例えば、図１３に示すレンズ１０の外側面１３に配置したマーク１７ａ、１７ｂ、１７ｃ、１８ｂ、１８ｃにそれぞれ対応する。
【００９３】
マーク２０ｂ、２０ｃは、マーク２０ａを中心とした非対称位置に配置される。換言すると、識別子２０は、光軸Ｌを中心として非対称になっている。
【００９４】
識別子２０を構成する各マーク２０ａ、２０ｂ、２０ｃは、第１実施形態に示すレンズ１０の各マーク１４ａ、１４ｂ、１４ｃと同様に例えば印刷手段によって形成される。また、マーク２１ａ、２１ｂ、２１ｃも同様に例えば印刷手段によって形成される。
【００９５】
マーク２１ｂ、２１ｃは、マーク２０ａからレンズ室３０の外周面３２の周方向にマーク２０ｂよりも更に離れた箇所に位置し且つマーク２１ａと外周面３２の光軸方向Ｌの位置が異なる。マーク２１ａと、マーク２１ｂ、２１ｃとは、外周面３２の光軸方向Ｌの位置が互いに異なり、マーク２１ａは外周面３２の入射側寄りに配置され、マーク２１ｂ及び２１ｃはネジ部３３寄りに配置されていて、レンズ室３０へのレンズ１０の組み込み順序を示している。例えば、図１３に示すレンズ１０を組み込んだ後、図１２に示すレンズ１０を組み込むことを示している。
【００９６】
図１９はレンズ室３０内に例えば図１２に示すレンズ１０と例えば図１３に示すレンズ１０を組み込んだ状態を示す断面図である。
【００９７】
先ず、図１３に示すレンズ１０を、その外側面１３の識別子１７，１８をレンズ室３０の外周面３２の識別子２０，２１と照合し、正しい組み込み方向と順序を確認しつつレンズ室３０内に固定箇所３４に接触するまで挿入する。次いで、図１３に示すレンズ１０と図１２に示すレンズ１０とを互い所定の間隔をあけて分離する分離環３６をレンズ室３０内に挿入する。次いで、図１２に示すレンズ１０を、その外側面１３の識別子１７，１８をレンズ室３０の外周面３２の識別子２０，２１と照合し、正しい組み込み方向を確認しつつレンズ室３０内に分離環３６に接触するまで挿入する。この後、押さえ環３５をそのネジ部３５ａを貫通孔３１のネジ部３１ａに螺合し、押さえ環３５によって図１２に示すレンズ１０を分離環３６に押し付ける。これにより、図１９に示すように、正しい組み込み方向及び順序で、レンズ室３０内に図１２に示すレンズ１０と図１３に示すレンズ１０とが分離環３６で互いに所定の間隔をあけて組み込まれる。
【００９８】
なお、レンズ室３０内にレンズ１０を２枚以上組み込むことも出来る。この場合、例えばレンズ室３０の射出側の外周面にも識別子２０，２１を設け、レンズ室３０の射出側からレンズ１０を、その識別子と識別子２０，２１とを照合してレンズ１０の向き及び組み込み順序を確認しつつ挿入する。
【００９９】
図２０及び図２１は図１８及び図１９に示す第８実施形態の変形例を示す。
【０１００】
なお、図中、図１８及び図１９に示す部分と同一構成部分には同一符号を付してその詳細な説明を省略する。
【０１０１】
図１９に示す分離環３６はその内径が軸線方向で一定であるが、図２０に示す分離環３７のようにその内径が軸線方向で変化する場合にあっては、この分離環３７によって図１２に示すレンズ１０と図１３に示すレンズ１０を分離すると、分離環３７を配置する向きによってレンズ１０間の間隔が相違してくる。
【０１０２】
例えば、図２１（ａ）に示すレンズ１０間の間隔と同図（ｂ）に示すレンズ１０間の間隔とを比較すると、同図（ｂ）に示す場合では分離環３７の位置が同図（ａ）に示す場合よりも同図（ｂ）の右側にずれて、同図（ｂ）に示すレンズ１０間の間隔は同図（ａ）に示す場合よりも狭くなっている。
【０１０３】
そこで、図２０に示す分離環３７では、その外周面にマーク３８ａ〜３８ｅからなる識別子３８を配置する一方、レンズ室３０の外周面３２にも識別子（不図示）を配置し、分離環３７をレンズ室３０内に組み込む際に、分離環３７の識別子３８とレンズ室３０の識別子（不図示）とを照合し、分離環３７の向きを確認するようにして誤って組み込まれるのを防止するようにしてある。
【０１０４】
図２２（ａ）、（ｂ）は識別子を構成するマークの他の実施形態を示す。
【０１０５】
図２２（ａ）に示すマーク２２は半円状に形成してある。したがって、このマーク２２一個でもレンズ１０の向きを識別させることができる。例えば、レンズ１０の入射面１１側をマーク２２のフラット部分２２ａで、射出面１２側を円弧部分２２ｂで識別させることができる。
【０１０６】
また、同図（ｂ）に示すマーク２３は、円形状で、その一方の半円部分２３ａと他方の半円部分２３ｂとで色を異ならせてある。したがって、このマーク２３の場合でも一個で向きを識別することができる。例えば、レンズ１０の入射面１１側を、白色に着色された半円部分２３ａで、射出面１２側を黒色などの濃い色で着色された半円部分２３ｂで識別させることができる。
【０１０７】
本発明は上述した実施形態に限定されるものではない。
【０１０８】
例えば、識別子を構成するマークを、光を吸収したり、反射させたりせず、光学的に影響を与えることがない、磁気塗料を使用して形成してもよく、この場合、識別子（マーク）は磁気センサなどによって検出する。
【０１０９】
また、レンズ１０としては、非球面レンズであってもよい。
【０１１０】
また、入射面１１と射出面１２の曲率が全く同じでも、入射面１１と射出面１２の何れかにコーティングが施してあったり、施すコーティングの種類、厚さが異なったりして、設置するレンズ１０の向きが決まっている場合にも本発明を適用することが出来る。
【０１１１】
また、非対称には、図１、図１２、図１３に示すように、光軸Ｌを中心として上下方向（光軸Ｌと直交する方向）において非対称の場合と、図３、図８に示すように、光軸方向Ｌにおいて非対称の場合と、図６、図１０、図２２（ａ）、（ｂ）に示すように形状、色彩が非対称の場合とが含まれるが、これらに限定されるものではない。
【０１１２】
本発明の光学部材としてのレンズ１０、レンズ室３０は、光学機器としてのレンズ鏡筒以外にも適用することができる。
【図面の簡単な説明】
【０１１３】
【図１】本発明の光学部材（レンズ）の第１実施形態を示す拡大側面図である。
【図２】図１のレンズの向きを逆にして示した拡大側面図である。
【図３】本発明の光学部材（レンズ）の第２実施形態を示す拡大側面図である。
【図４】図３のレンズの向きを逆にして示した拡大側面図である。
【図５】図３の要部を更に拡大して示した部分拡大側面図である。
【図６】本発明の光学部材（レンズ）の第３実施形態を示す拡大側面図である。
【図７】図６のレンズの向きを逆にして示した拡大側面図である。
【図８】本発明の光学部材（レンズ）の第４実施形態を示す拡大側面図である。
【図９】図８のレンズの向きを逆にして示した拡大側面図である。
【図１０】本発明の光学部材（レンズ）の第５実施形態を示す拡大側面図である。
【図１１】図１０のレンズの向きを逆にして示した拡大側面図である。
【図１２】本発明の光学部材（レンズ）の第６実施態様を示す拡大側面図である。
【図１３】本発明の光学部材（レンズ）の別の第６実施態様を示す拡大側面図である。
【図１４】図１３のレンズの向きを逆にして示した拡大側面図である。
【図１５】本発明の光学部材（レンズ室）の第７実施態様を示す拡大側面図である。
【図１６】図１５のレンズ室内に図１に示すレンズを組み込む際の説明図である。
【図１７】図１５のレンズ室内に図１に示すレンズを組み込んだ状態を示す断面図である。
【図１８】本発明の光学部材（レンズ室）の第８実施態様を示す拡大側面図である。
【図１９】図１８のレンズ室内に図１２、図１３に示すレンズを組み込んだ状態を示す断面図である。
【図２０】第８実施形態の分離環の変形例を示す拡大側面図である。
【図２１】図２１（ａ）は図１８のレンズ室内に図１２に示すレンズと図１３に示すレンズを図２０の分離環によって分離して組み込んだ状態を示す断面図、同図（ｂ）は同図（ａ）において図２０の分離環の向きを逆にした状態の断面図である。
【図２２】図２２（ａ）、（ｂ）は識別子を構成するマークの他の実施形態を示す拡大正面図である。
【符号の説明】
【０１１４】
１０            レンズ（光学部材）
１１            入射面
１２            射出面
１３            外側面
１４、１４０    識別子
１５，１５０    識別子
１６            識別子
１７            識別子
１８            識別子
１９            識別子
２０            識別子
２１            識別子
２２            マーク
２３            マーク
３０            レンズ室（光学部材）
３１            貫通孔
３２            外周面
３６，３７      分離環
３８            識別子
【図１】
2008203715.tif 000003
【図２】
2008203715.tif 000004
【図３】
2008203715.tif 000005
【図４】
2008203715.tif 000006
【図５】
2008203715.tif 000007
【図６】
2008203715.tif 000008
【図７】
2008203715.tif 000009
【図８】
2008203715.tif 000010
【図９】
2008203715.tif 000011
【図１０】
2008203715.tif 000012
【図１１】
2008203715.tif 000013
【図１２】
2008203715.tif 000014
【図１３】
2008203715.tif 000015
【図１４】
2008203715.tif 000016
【図１５】
2008203715.tif 000017
【図１６】
2008203715.tif 000018
【図１７】
2008203715.tif 000019
【図１８】
2008203715.tif 000020
【図１９】
2008203715.tif 000021
【図２０】
2008203715.tif 000022
【図２１】
2008203715.tif 000023
【図２２】
2008203715.tif 000024